(57)【要約】【課題】  本発明は、操作ボタンおよびその案内表示がデザインに悪影響を与えることなく、さらに、正面から操作ボタンの案内表示を視認することができる電子機器を提供することを課題とする。【解決手段】  透光板３は、透明な合成樹脂等の光を通す材料等からなり、前方から見ると前方筐体（蓋体４）の周囲を囲むように本体に周設されている。透光板３には、操作ボタン１４および各種接続端子１５の機能を案内する案内表示３１と、メーカ名や商品名等のマーク３２とが背面からシルク印刷等で表記されている。案内表示３１は、前方筐体の両側面に設けられている操作ボタン１４および各種接続端子１５の位置に対応して両側面側にレイアウトされている。【選択図】        図１
2005209319.tif 000002
【特許請求の範囲】
【請求項１】
操作ボタンを有する電子機器であって、
本体が前方筐体と後方筐体とで構成され、
前記前方筐体と前記後方筐体との間の少なくとも側面に周設された透光板と、
前記前方筐体の前面を略全面的に覆う蓋体と、を具備し、
前記操作ボタンの全てが、前記前方筐体の側面および前記後方筐体に設けられ、
前記透光板の前記前方筐体の側面に設けられた前記操作ボタンに対応する位置に、前記操作ボタンの機能を案内する案内表示が表記されていることを特徴とする電子機器。
【請求項２】
前記前方筐体の前面には、回転式の音量調整手段が設けられており、
前記蓋体は、前記音量調整手段を除く前記前方筐体の前面を全面的に覆う形状となっていることを特徴とする請求項１記載の電子機器。
【請求項３】
前記音量調整手段の機能を案内する前記案内表示が前記透光板に印字されていることを特徴とする請求項１又は２記載の電子機器。
【請求項４】
前記本体内部に設けられている照光手段と、
前記透光板の一部であって、前記照光手段に対向する位置に設けられ、前記照光手段の光を前記本体の外部に導く光導手段と、を具備し、
前記照光手段は、電源の投入に伴って発光するように構成されていることを特徴とする請求項１乃至３のいずれかに記載の電子機器。
【請求項５】
前記本体内部に設けられ、記録媒体に記録されている情報を再生する再生手段を具備し、
前記蓋体は、前記前方筐体の下部を中心に回動可能であり、前記蓋体が開いた状態にあるとき、前記再生手段への前記記録媒体の着脱が可能であることを特徴とする請求項１乃至４のいずれかに記載の電子機器。
【発明の詳細な説明】
【技術分野】
【０００１】
本発明は、操作ボタンもしくは接続端子を有する電子機器に関し、特にＤＶＤ（digital versatile disc）等のディスク状記録媒体に記録されている情報を再生する情報再生装置や、受信した放送受信信号を再生するチューナ等の情報再生装置等の再生に係る操作ボタンやヘッドホンを接続するヘッドホンジャック等の接続端子を有する電子機器に関する。
【背景技術】
【０００２】
従来のＤＶＤ（digital versatile disc）等のディスク状記録媒体に記録されている情報を再生する情報再生装置や、受信した放送受信信号を再生するチューナ等の情報再生装置等の電子機器においては、本体の前面にパネルを配置し、このパネルに複数の操作ボタンおよび接続端子を配置しているが、多機能化に伴って、操作ボタンおよび接続端子の数が増大する傾向にある。
【０００３】
本体の前面に数多くの操作ボタンおよび接続端子が配置され、さらに操作ボタンおよび接続端子の機能を説明する案内表示が存在すると、デザイン的に好ましくない。そこで、操作ボタンおよび接続端子を扉の内側に設けて、通常は扉を閉めた状態にすることで操作ボタンおよび接続端子を隠し、操作ボタンおよび接続端子がデザインに与える影響を排除した電子機器が存在する（例えば、特許文献１参照）。
【０００４】
しかしながら、従来技術では、扉を閉めた状態では、操作ボタンおよび接続端子の案内表示を正面から視認することができないため、装置の近くに行って扉を開けなければ操作ボタンおよび接続端子の確認ができないと共に、操作や接続端子にプラグを接続する際にも扉を開けなければならないため、操作性が悪くなってしまうという問題点があった。
【特許文献１】特開平４−１０６７７８号公報
【発明の開示】
【発明が解決しようとする課題】
【０００５】
本発明は斯かる問題点を鑑みてなされたものであり、その目的とするところは、操作ボタンおよびその案内表示がデザインに悪影響を与えることなく、さらに、正面から操作ボタンの案内表示を視認することができる電子機器を提供する点にある。
【課題を解決するための手段】
【０００６】
本発明は上記課題を解決すべく、以下に掲げる構成とした。
本発明の電子機器は、操作ボタンを有する電子機器であって、本体が前方筐体と後方筐体とで構成され、前記前方筐体と前記後方筐体との間の少なくとも側面に周設された透光板と、前記前方筐体の前面を略全面的に覆う蓋体と、を具備し、前記操作ボタンの全てが、前記前方筐体の側面および前記後方筐体に設けられ、前記透光板の前記前方筐体の側面に設けられた前記操作ボタンに対応する位置に、前記操作ボタンの機能を案内する案内表示が表記されていることを特徴とする。
【０００７】
さらに、本発明の電子機器は、前記前方筐体の前面には、回転式の音量調整手段が設けられており、前記蓋体は、前記音量調整手段を除く前記前方筐体の前面を全面的に覆う形状となっていることを特徴とする。
【０００８】
さらに、本発明の電子機器は、前記音量調整手段の機能を案内する前記案内表示が前記透光板に印字されていることを特徴とする。
【０００９】
さらに、本発明の電子機器は、前記本体内部に設けられている照光手段と、前記透光板の一部であって、前記照光手段に対向する位置に設けられ、前記照光手段の光を前記本体の外部に導く光導手段と、を具備し、前記照光手段は、電源の投入に伴って発光するように構成されていることを特徴とする。
【００１０】
さらに、本発明の電子機器は、前記本体内部に設けられ、記録媒体に記録されている情報を再生する再生手段を具備し、前記蓋体は、前記前方筐体の下部を中心に回動可能であり、前記蓋体が開いた状態にあるとき、前記再生手段への前記記録媒体の着脱が可能であることを特徴とする。
【発明の効果】
【００１１】
本発明の電子機器は、操作ボタンの全てを前方筐体の側面および後方筐体に設けると共に、前方筐体と後方筐体との間の少なくとも側面に周設された透光板に操作ボタンの機能を案内する案内表示を表記することにより、前方筐体の前面を略全面的に覆う蓋体に操作ボタンおよび案内表示を設けなくて良いため、操作ボタンおよび案内表示がデザインに悪影響を与えることがなく、デザインを全体的にシンプルすることができると共に、正面から操作ボタンの案内表示を視認することができ、デザインのシンプル性を追求しても操作性を損なうことがないという効果を奏する。
【００１２】
さらに、本発明の電子機器は、透光板に照光手段の光を本体の外部に導く光導手段を形成し、照光手段を電源の投入に伴って発光するように構成することにより、透光板が電源投入の表示を兼ねたイルミネーションとなり、特に暗い環境では、電子機器の存在を示すイルミネーションとして機能するという効果を奏し、また、透光板に表記された案内表示の部分を照光手段で照らすことにより、暗い環境では、操作ボタンの案内表示を視認せしめる効果も奏する。
【００１３】
さらに、本発明の電子機器は、前方筐体の前面を略全面的に覆う蓋体を前方筐体の下部を中心に回動可能に構成し、蓋体が開いた状態にあるとき、再生手段への記録媒体の着脱が行えるように構成することにより、再生手段への記録媒体の着脱のために個別の蓋体を設ける必要がなく、部品点数の削減のみならず、デザインをシンプルにすることができるという効果を奏する。
【発明を実施するための最良の形態】
【００１４】
以下、本発明の実施の形態を図面に基づいて詳細に説明する。
【００１５】
図１は、本発明に係る電子機器の実施の形態の構成を示す前面図であり、図２は、図１に示す電子機器の構成を示す両側面図であり、図３は、図１に示す電子機器の蓋体解放状態を示す側面図であり、図４は、図１に示す発光部の構成を示す前面図および側面図である。
【００１６】
本実施の形態の電子機器は、ＤＶＤ（digital
versatile disc）等のディスク状記録媒体に記録されている情報を再生する情報再生装置であり、図１および図２を参照すると、前方筐体１および後方筐体２からなる本体と、前方筐体１と後方筐体２との間に周設されている透光板３と、前方筐体１の前面部を略全面を覆う蓋体４と、本体内部に設けられた照光部５と、ディスク状記録媒体を再生する再生部６とからなり、本体と透光板３とが台座７によって支えられている。なお、本体は、前方筐体１と後方筐体２とに分離されている必要はなく、前方筐体１と後方筐体２とを一体で構成し、前方筐体１と後方筐体２との間に透光板３を取り付ける溝等の取り付け部を形成するようにしても良い。
【００１７】
前方筐体１の前面には、ＦＬＣＤ（強誘電性液晶ディスプレイ）等の表示部１１と、リモコンからの操作信号（赤外線等）を受光する受信部１２と、音量を調整する回転式の音量操作部１３とが設けられている。
【００１８】
また、前方筐体１の両側面には、電源投入、機能切り替え指示、楽曲の再生指示等の情報再生に係る各種操作を行う操作ボタン１４と、ヘッドホンを接続するヘッドジャック等の各種接続端子１５とが設けられており、音量操作部１３以外の情報再生に係る各種操作や、ヘッドホン等の端末機器の接続を両側面側から行うように構成されている。その他のコード類等は、後方筐体２の背面等の前面から目視できない位置に設けられている。
【００１９】
透光板３は、透明な合成樹脂等の光を通す材料等からなり、前方から見ると前方筐体１（蓋体４）の周囲を囲むように本体に周設されている。透光板３には、操作ボタン１４および各種接続端子１５の機能を案内する案内表示３１と、メーカ名や商品名等のマーク３２とが背面からシルク印刷等で表記されており、案内表示３１は、操作ボタン１４および各種接続端子１５の位置に対応して両側面側にレイアウトされている。
【００２０】
また、透光板３には、図４を参照すると、前方筐体１と後方筐体２との間を通って本体内部に延出された光導部３３が照光部５に対応する位置に形成されており、本体内部に設けられた照光部５から照射された光は、光導部３３を通って外部に導かれるようになっている。
【００２１】
蓋体４は、前方筐体１の下部を中心に回動可能に取り付けられており、閉めた状態では、図１に示すように、前方筐体１の前面の音量操作部１３を除く略全面を覆う形状になっている。蓋体４を開けた状態では、図３に示すように、上部にできる前方筐体１のとの間の空間からＤＶＤ等のディスク状記録媒体８の挿抜が行われる。
【００２２】
また、蓋体４には、閉めた状態で、前方筐体１の前面に設けられた表示部１１および受信部１２に対応する位置に前面側が鏡面になっているハーフミラー４１が設けられており、ユーザがハーフミラー４１を介して表示部１１を視認することができ、また、受信部１２がハーフミラー４１を介してリモコンからの操作信号（赤外線等）を受信できるように構成されている。
【００２３】
照光部５は、図４を参照すると、透光板３から延出された光導部３３に取り付けられた発光素子ホルダ５１と、発光素子ホルダ５１に取り付けられた基盤５２と、基盤５２に取り付けられ、光導部３３に向けて光を照射するＬＥＤ等の発光素子５３とからなり、発光素子５３は、図示しない電源部に接続されており、操作ボタン１４を操作して電源が投入されると発光するように構成されている。
【００２４】
なお、図４に示す例では、照光部５が透光板３に表記されたマーク３２に対応する位置に設けられ、マーク３２の部分を照射するように構成されているが、照光部５を透光板３に表記された案内表示３１に対応する位置にも設け、案内表示３１の部分を照射するように構成しても良く、この場合には、暗い中でも操作ボタン１４の操作を行うことができ、操作性が向上する。
【００２５】
なお、本実施の形態では、ＤＶＤ（digital
versatile disc）等のディスク状記録媒体８に記録されている情報を再生する情報再生装置の例を説明したが、受信した放送受信信号を再生するチューナ等の情報再生装置や、その他の操作ボタンもしくは接続端子を有する電子機器に適用することができる。
【００２６】
以上説明したように、本実施の形態によれば、操作ボタン１４の全てを前方筐体１の側面および後方筐体２に設けると共に、前方筐体１と後方筐体２との間の少なくとも側面に周設された透光板３に操作ボタン１４の機能を案内する案内表示３１を表記することにより、前方筐体１の前面を略全面的に覆う蓋体４に操作ボタン１４および案内表示３１を設けなくて良いため、操作ボタン１４および案内表示３１がデザインに悪影響を与えることがなく、デザインを全体的にシンプルすることができると共に、正面から操作ボタン１４の案内表示３１を視認することができ、デザインのシンプル性を追求しても操作性を損なうことがないという効果を奏する。
【００２７】
さらに、本実施の形態によれば、透光板３に照光部５の光を本体の外部に導く光導部３３を形成し、照光部５を電源の投入に伴って発光するように構成することにより、透光板３が電源投入の表示を兼ねたイルミネーションとなり、特に暗い環境では、電子機器の存在を示すイルミネーションとして機能するという効果を奏し、また、透光板３に表記された案内表示３１の部分を照光部５で照らすことにより、暗い環境では、操作ボタン１４の案内表示３１を視認せしめる効果も奏する。
【００２８】
さらに、本実施の形態によれば、前方筐体１の前面を略全面的に覆う蓋体４を前方筐体１の下部を中心に回動可能に構成し、蓋体４が開いた状態にあるとき、再生部６へのディスク状記録媒体８の着脱が行えるように構成することにより、再生部６へのディスク状記録媒体８の着脱のために個別の扉を設ける必要がなく、部品点数の削減のみならず、デザインをシンプルにすることができるという効果を奏する。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３０】
【図１】本発明に係る電子機器の実施の形態の構成を示す前面図である。
【図２】図１に示す電子機器の構成を示す両側面図である。
【図３】図１に示す電子機器の蓋体解放状態を示す側面図である。
【図４】図１に示す照光部の構成を示す前面図および側面図である。
【符号の説明】
【００３１】
１  前方筐体
２  後方筐体
３  透光板
４  蓋体
５  照光部
６  再生部（再生手段）
７  台座
８  ディスク状記録媒体
１１  表示部
１２  受信部
１３  音量操作部
１４  操作ボタン
１５  接続端子
３１  案内表示
３２  マーク
３３  光導部（光導手段）
４１  ハーフミラー
５１  発光素子ホルダ
５２  基盤
５３  発光素子（照光手段）
【図１】
2005209319.tif 000003
【図２】
2005209319.tif 000004
【図３】
2005209319.tif 000005
【図４】
2005209319.tif 000006